(57)【特許請求の範囲】
【請求項１】
第１磁性体部及び第２磁性体部と、前記第１磁性体部と前記第２磁性体部との間に挟み込まれた非磁性体部と、前記非磁性体部内の前記第１磁性体部側と前記第２磁性体部側に位置していて互いが非接触状態で向き合うように該非磁性体部内に埋設された平面状の第１コイル導体部及び第２コイル導体部と、前記第１コイル導体部の一端に第１引出導体部を介して接続された第１外部端子と、前記第１コイル導体部の他端に接続された第２外部端子と、前記第２コイル導体部の一端に第２引出導体部を介して接続された第３外部端子と、前記第２コイル導体部の他端に接続された第４外部端子とを備えたコモンモードノイズフィルタにおいて、
前記第１引出導体部は、前記第１コイル導体部よりも前記第１磁性体部に近い位置に存在し、且つ、該第１引出導体部と前記第１磁性体部との間に介在する前記非磁性体部の一部分によって覆われて前記第１外部端子との接続箇所を除いて前記非磁性体部内に埋設されていると共に、前記第１引出導体部を覆う前記非磁性体部の一部分は、前記第１磁性体部に向けて隆起して該第１磁性体部に食い込んでおり、
前記第２引出導体部は、前記第２コイル導体部よりも前記第２磁性体部に近い位置に存在し、且つ、該第２引出導体部と前記第２磁性体部との間に介在する前記非磁性体部の一部分によって覆われて前記第３外部端子との接続箇所を除いて前記非磁性体部内に埋設されていると共に、前記第２引出導体部を覆う前記非磁性体部の一部分は、前記第２磁性体部内に向けて隆起して該第２磁性体部に食い込んでいる、
ことを特徴とするコモンモードノイズフィルタ。
【請求項２】
前記第１コイル導体部の一端と前記第１引出導体部との接続は、前記非磁性体部内に設けられた第１ビア導体部を通じて為されており、
前記第２コイル導体部の一端と前記第２引出導体部との接続は、前記非磁性体部内に設けられた第２ビア導体部を通じて為されている、
ことを特徴とする請求項１に記載のコモンモードノイズフィルタ。
【発明の詳細な説明】
【技術分野】
【０００１】
本発明は、各種電子機器においてノイズ対策デバイスとして用いられるコモンモードノイズフィルタに関する。
【背景技術】
【０００２】
特許文献１には、第１磁性体部及び第２磁性体部と、第１磁性体部と第２磁性体部との間に挟み込まれた非磁性体部と、非磁性体部内の第１磁性体部側と第２磁性体部側に位置していて互いが非接触状態で向き合うように該非磁性体部内に埋設された平面状の第１コイル導体部及び第２コイル導体部と、第１コイル導体部の一端に第１引出導体部を介して接続された第１外部端子と、第１コイル導体部の他端に接続された第２外部端子と、第２コイル導体部の一端に第２引出導体部を介して接続された第３外部端子と、前記第２コイル導体部の他端に接続された第４外部端子と、を備えたコモンモードノイズフィルタが開示されている。
【０００３】
このコモンモードノイズフィルタにあっては、第１引出導体部は第１磁性体部と非磁性体部との間に存在し、且つ、第２引出導体部は第２磁性体部と非磁性体部との間に存在している。また、第１磁性体部及び第２磁性体部にはＦｅ2Ｏ3をベースとしたフェライトが用いられ、非磁性体部にはＣｕ−Ｚｎフェライトまたはガラスセラミックが用いられ、第１引出導体部、第１コイル導体部、第２コイル導体部及び第２引出導体部には銀が用いられている。
【０００４】
ところで、前記コモンモードノイズフィルタは、一般に、リフローハンダ付けによって回路基板等に実装されるため、該リフローハンダ付け時にそれ相当の熱衝撃を受けると共に、実装後に高温下または低温下に置かれた場合にも熱衝撃を受ける。
【０００５】
しかしながら、前記コモンモードノイズフィルタは、第１引出導体部が第１磁性体部と非磁性体部との間に介在し、且つ、第２引出導体部が第２磁性体部と非磁性体部との間に介在している構造にあるため、第１引出導体部の線膨張係数と第１磁性体部及び非磁性体部の線膨張係数との違い、並びに、第２引出導体部の線膨張係数と第２磁性体部及び非磁性体部の線膨張係数との違いに起因し、前記熱衝撃を受けた際に、
・第１引出導体部と第１磁性体部との界面
・第１引出導体部と非磁性体部との界面
・第２引出導体部と第２磁性体部との界面
・第２引出導体部と非磁性体部との界面
に剥離が生じ、該剥離を原因として、
・第１磁性体部と非磁性体部との界面
・第２磁性体部と非磁性体部との界面
にデラミネーションが発生して、インピーダンス特性等のフィルタ特性の悪化を招来する恐れがある。
【先行技術文献】
【特許文献】
【０００６】
【特許文献１】特開２００５−３４０６１１号公報
【発明の概要】
【発明が解決しようとする課題】
【０００７】
本発明の目的は、リフローハンダ付け時等に受ける熱衝撃によってデラミネーションが発生してフィルタ特性が悪化することを抑制できるコモンモードノイズフィルタを提供することにある。
【課題を解決するための手段】
【０００８】
前記目的を達成するため、本発明は、第１磁性体部及び第２磁性体部と、前記第１磁性体部と前記第２磁性体部との間に挟み込まれた非磁性体部と、前記非磁性体部内の前記第１磁性体部側と前記第２磁性体部側に位置していて互いが非接触状態で向き合うように該非磁性体部内に埋設された平面状の第１コイル導体部及び第２コイル導体部と、前記第１コイル導体部の一端に第１引出導体部を介して接続された第１外部端子と、前記第１コイル導体部の他端に接続された第２外部端子と、前記第２コイル導体部の一端に第２引出導体部を介して接続された第３外部端子と、前記第２コイル導体部の他端に接続された第４外部端子とを備えたコモンモードノイズフィルタにおいて、前記第１引出導体部は、前記第１コイル導体部よりも前記第１磁性体部に近い位置に存在し、且つ、該第１引出導体部と前記第１磁性体部との間に介在する前記非磁性体部の一部分によって覆われて前記第１外部端子との接続箇所を除いて前記非磁性体部内に埋設されていると共に、前記第１引出導体部を覆う前記非磁性体部の一部分は、前記第１磁性体部に向けて隆起して該第１磁性体部に食い込んでおり、前記第２引出導体部は、前記第２コイル導体部よりも前記第２磁性体部に近い位置に存在し、且つ、該第２引出導体部と前記第２磁性体部との間に介在する前記非磁性体部の一部分によって覆われて前記第３外部端子との接続箇所を除いて前記非磁性体部内に埋設されていると共に、前記第２引出導体部を覆う前記非磁性体部の一部分は、前記第２磁性体部内に向けて隆起して該第２磁性体部に食い込んでいる、ことをその特徴とする。
【０００９】
前記［背景技術］で述べた従来のコモンモードノイズフィルタのように、第１引出導体部が第１磁性体部と非磁性体部との間に介在し、且つ、第２引出導体部が第２磁性体部と非磁性体部との間に介在している場合には、第１引出導体部の線膨張係数と第１磁性体部及び非磁性体部の線膨張係数との違い、並びに、第２引出導体部の線膨張係数と第２磁性体部及び非磁性体部の線膨張係数との違いに起因し、リフローハンダ付け時等において熱衝撃を受けた際に、
・第１引出導体部と第１磁性体部との界面
・第１引出導体部と非磁性体部との界面
・第２引出導体部と第２磁性体部との界面
・第２引出導体部と非磁性体部との界面
に剥離が生じ、該剥離を原因として、
・第１磁性体部と非磁性体部との界面
・第２磁性体部と非磁性体部との界面
にデラミネーションが発生して、インピーダンス特性等のフィルタ特性の悪化を招来する恐れがある。
【００１０】
これに対し、本発明のコモンモードノイズフィルタにあっては、第１引出導体部が第１外部端子との接続箇所を除いて非磁性体部内に埋設され、且つ、第２引出導体部が第３外部端子との接続箇所を除いて非磁性体部内に埋設されている構造にあるため、即ち、線膨張係数が異なる３つの材料が存在する界面がないため、前記熱衝撃を受けても、
・第１磁性体部と非磁性体部との界面
・第２磁性体部と非磁性体部との界面
に剥離を生じることがなくなる。要するに、各磁性体部の線膨張係数と非磁性体部の線膨張係数とを近付けることが可能であることも相俟って、前記熱衝撃を受けても、
・第１磁性体部と非磁性体部との界面
・第２磁性体部と非磁性体部との界面
にデラミネーションが発生し難く、該デラミネーションを原因としてインピーダンス特性等のフィルタ特性が悪化することを確実に抑制することができる。
【発明の効果】
【００１１】
本発明によれば、リフローハンダ付け時等に受ける熱衝撃によってデラミネーションが発生してフィルタ特性が悪化することを抑制できるコモンモードノイズフィルタを提供することができる。
【００１２】
本発明の前記目的とそれ以外の目的と、構成特徴と、作用効果は、以下の説明と添付図面によって明らかとなる。
【図面の簡単な説明】
【００１３】
【図１】図１は、本発明を適用したコモンモードノイズフィルタ（一実施形態）の外観斜視図である。
【図２】図２（Ｓ１１）は、図１のＳ１１線に沿う断面図；図２（Ｓ１２）は、図１のＳ１２線に沿う断面図；図２（Ｓ１３）は、図１のＳ１３線に沿う断面図である。
【図３】図３は、図１に示したフィルタ本体を層単位で分解した斜視図である。
【発明を実施するための形態】
【００１４】
以下に、本発明を適用したコモンモードノイズフィルタ（一実施形態）を、図１〜図３を引用して説明する。このコモンモードノイズフィルタは、図１に示したように、直方体形状のフィルタ本体１１と、該フィルタ本体１１の相対する２側面に設けられた第１〜第４外部端子２１〜２４とを備えている。
【００１５】
フィルタ本体１１を層単位で分解した図３から分かるように、該フィルタ本体１１は、・４枚の磁性体層１２-1〜１２-4
・５枚の第１〜第５非磁性体層１３-1〜１３-5
・４枚の磁性体層１４-1〜１４-4
・第１非磁性体層１３-1と第２非磁性体層１３-2との間に存する第１引出導体部１５
・第２非磁性体層１３-2と第３非磁性体層１３-3との間に存する平面状の第１コイル導体  部１６
・第３非磁性体層１３-3と第４非磁性体層１３-4との間に存する平面状の第２コイル導体  部１７
・第４非磁性体層１３-4と第５非磁性体層１３-5との間に存する第２引出導体部１８
・第２非磁性体層１３-2に設けられた第１ビア導体部１９
・第４非磁性体層１３-4に設けられた第２ビア導体部２０
を有している。
【００１６】
各磁性体層１２-1〜１２-4及び１４-1〜１４-4は公知の磁性体材料、好ましくはＮｉ−Ｚｎ−Ｃｎ系フェライト等のフェライト材料から成る。また、第１〜第５非磁性体層１３-1〜１３-5は公知の非磁性体材料、好ましくはホウケイ酸ガラス等の誘電体材料から成る。また、第１引出導体部１５、第１コイル導体部１６、第２コイル導体部１７、第２引出導体部１８、第１ビア導体部１９及び第２ビア導体部２０は公知の導体材料、好ましくは銀等の金属材料から成る。
【００１７】
図３に示した４枚の磁性体層１２-1〜１２-4は図２に示した第１磁性体部１２を構成し、５枚の第１〜第５非磁性体層１３-1〜１３-5は図２に示した非磁性体部１３を構成し、４枚の磁性体層１４-1〜１４-4は図２に示した第２磁性体部１４を構成しており、非磁性体部１３は第１磁性体部１２及び第２磁性体部１４に密着した状態で両磁性体部１２及び１４の間に挟み込まれている。
【００１８】
第１コイル導体部１６及び第２コイル導体部１７は、各々の線幅及び巻き数が略同じ渦巻き型を成している。第１コイル導体部１６の一端１６ａは第１ビア導体部１９を介して第１引出導体部１５の一端１５ａに接続されており、該第１引出導体部１５の他端１５ｂの側縁と第１コイル導体部１６の他端１６ｂの側縁は非磁性体部１３の相対する側面で露出している。第２コイル導体部１７の一端１７ａは第２ビア導体部２０を介して第２引出導体部１８の一端１８ａに接続されており、該第２引出導体部１８の他端１８ｂの側縁と第２コイル導体部１７の他端１７ｂの側縁は非磁性体部１３の相対する側面で露出している。
【００１９】
第１〜第４外部端子２１〜２４は公知の導体材料、好ましくは銀等の金属材料から成る。図１から分かるように、第１外部端子２１と第３外部端子２３はフィルタ本体１１の一側面に間隔をおいて設けられ、第２外部端子２２と第４外部端子２４はフィルタ本体１１の反対側の側面に間隔をおいて設けられている。
【００２０】
詳しくは、第１外部端子２１は、非磁性体部１３の一側面から露出する第１引出導体部１５の他端１５ｂの側縁に接続され、第２外部端子２２は、非磁性体部１３の反対側の側面から露出する第１コイル導体部１６の他端１６ｂの側縁に接続されている。第３外部端子２３は、非磁性体部１３の一側面から露出する第２引出導体部１８の他端１８ｂの側縁に接続され、第４外部端子２４は、非磁性体部１３の反対側の側面から露出する第２コイル導体部１７の他端１７ｂの側縁に接続されている。
【００２１】
ここで、前記コモンモードノイズフィルタの製法について簡単に説明する。前記コモンモードノイズフィルタを製造するときには、
・未焼成の各磁性体層１２-1〜１２-4及び１４-1〜１４-4
・未焼成の第１引出導体部１５が形成された未焼成の第１非磁性体層１３-1
・未焼成の第１コイル導体部１６及び第１ビア導体部１９が形成された未焼成の第２非磁  性体層１３-2
・未焼成の第２コイル導体部１７が形成された未焼成の第３非磁性体層１３-3
・未焼成の第２引出導体部１８及び第２ビア導体部２０が形成された未焼成の第４非磁性  体層１３-4
・未焼成の第５非磁性体層１３-5
を用意し、これらを図３に示した順序で積み重ねて全体を熱圧着し、熱圧着したものを所定温度で焼成（脱バインダー処理を含む）してフィルタ本体１１を作製する。そして、フィルタ本体１１の相対する２側面に未焼成の第１〜第４外部端子２１〜２４を形成して、これらを所定温度で焼成（脱バインダー処理を含む）する。必要に応じて、第１〜第４外部端子２１〜２４の表面に、電解メッキ法によってニッケル層を形成し、その上に電解メッキ法によってハンダ層を形成する。
【００２２】
先に述べたように、第１引出導体部１５は第１非磁性体層１３-1と第２非磁性体層１３-2との間に存在し、第１コイル導体部１６は第２非磁性体層１３-2と第３非磁性体層１３-3との間に存在し、第２コイル導体部１７は第３非磁性体層１３-3と第４非磁性体層１３-4との間に存在し、第２引出導体部１８は第４非磁性体層１３-4と第５非磁性体層１３-5との間に存在する。
【００２３】
そのため、第１コイル導体部１６は非磁性体部１３内の第１磁性体部１２側に位置し、第２コイル部１７は非磁性体部１３内の第２磁性体部１４側に位置していて、該第１コイル導体部１６及び第２コイル導体部１７は互いが非接触状態で向き合うように非磁性体部１３内に埋設されている（図２（Ｓ１１）を参照）。
【００２４】
また、第１引出導体部１５は他端１５ｂの側縁（第１外部端子２１との接続箇所）を除いて非磁性体部１３内に埋設され、しかも、第２引出導体部１８は他端１８ｂの側縁（第３外部端子２３との接続箇所）を除いて非磁性体部１３内に埋設されている（図２（Ｓ１２）を参照）。
【００２５】
さらに、製造過程において積層したもの全体を熱圧着する関係から、第１コイル導体部１６よりも第１磁性体部１２に近い位置に存在する第１引出導体部１５を覆う非磁性体部１３の一部分１３ａは、第１磁性体部１２に向けて隆起して該第１磁性体部１２に食い込んでおり、しかも、第２コイル導体部１７よりも第２磁性体部１４に近い位置に存在する第２引出導体部１８を覆う非磁性体部１３の一部分１３ｂは、第２磁性体部１４に向けて隆起して該第２磁性体部１４に食い込んでいる（図２（Ｓ１２）を参照）。
【００２６】
ところで、前記コモンモードノイズフィルタは、一般に、リフローハンダ付けによって回路基板等に実装されるため、該リフローハンダ付け時にそれ相当の熱衝撃を受けると共に、実装後に高温下または低温下に置かれた場合にも熱衝撃を受ける。
【００２７】
前記［背景技術］で述べた従来のコモンモードノイズフィルタのように、第１引出導体部が第１磁性体部と非磁性体部との間に介在し、且つ、第２引出導体部が第２磁性体部と非磁性体部との間に介在している場合には、第１引出導体部の線膨張係数と第１磁性体部及び非磁性体部の線膨張係数との違い、並びに、第２引出導体部の線膨張係数と第２磁性体部及び非磁性体部の線膨張係数との違いに起因し、前記熱衝撃を受けた際に、
・第１引出導体部と第１磁性体部との界面
・第１引出導体部と非磁性体部との界面
・第２引出導体部と第２磁性体部との界面
・第２引出導体部と非磁性体部との界面
に剥離が生じ、該剥離を原因として、
・第１磁性体部と非磁性体部との界面
・第２磁性体部と非磁性体部との界面
にデラミネーションが発生して、インピーダンス特性等のフィルタ特性の悪化を招来する恐れがある。
【００２８】
これに対し、前記コモンモードノイズフィルタにあっては、第１引出導体部１５が第１外部端子２１との接続箇所を除いて非磁性体部１３内に埋設され、且つ、第２引出導体部１８が第３外部端子２３との接続箇所を除いて非磁性体部１３内に埋設されている構造にあるため、即ち、線膨張係数が異なる３つの材料が存在する界面がないため、前記熱衝撃を受けても、
・第１磁性体部１２と非磁性体部１３との界面
・第２磁性体部１４と非磁性体部１３との界面
に剥離を生じることがなくなる。要するに、各磁性体部１２及び１４の線膨張係数と非磁性体部１３の線膨張係数とを近付けることが可能であることも相俟って、前記熱衝撃を受けても、
・第１磁性体部１２と非磁性体部１３との界面
・第２磁性体部１４と非磁性体部１３との界面
にデラミネーションが発生し難く、該デラミネーションを原因としてインピーダンス特性等のフィルタ特性が悪化することを確実に抑制することができる。
【００２９】
また、前記コモンモードノイズフィルタにあっては、第１コイル導体部１６よりも第１磁性体部１２に近い位置に存在する第１引出導体部１５を覆う非磁性体部１３の一部分１３ａが、第１磁性体部１２に向けて隆起して該第１磁性体部１２に食い込んでおり、しかも、第２コイル導体部１７よりも第２磁性体部１４に近い位置に存在する第２引出導体部１８を覆う非磁性体部１３の一部分１３ｂが、第２磁性体部１４に向けて隆起して該第２磁性体部１４に食い込んでいる。要するに、第１磁性体部１２と非磁性体部１３の密着力は平面同士が密着している場合よりも高く、且つ、第２磁性体部１４と非磁性体部１３の密着力は平面同士が密着している場合よりも高くなっているので、
・第１磁性体部１２と非磁性体部１３との界面
・第２磁性体部１４と非磁性体部１３との界面
にデラミネーションを生じさせるような応力が作用しても、前記密着力に基づいて該デラミネーションの発生を効果的に防止して、フィルタ特性の悪化をより確実に抑制することができる。
【００３０】
尚、前記説明では、４枚の磁性体層１２-1〜１２-4によって第１磁性体部１２を構成し、且つ、４枚の磁性体層１４-1〜１４-4によって第２磁性体部１４を構成したものを示したが、各磁性体部１２及び１４を構成する磁性体層の層数を該磁性体層の厚さや各磁性体部１２及び１４の厚さ等に応じて任意に増減しても、前記同様の効果を得ることができる。
【００３１】
また、前記説明では、４枚の磁性体層１２-1〜１２-4と第１引出導体部１５との間に１枚の第１非磁性体層１３-1を介装し、且つ、第２引出導体部１８と４枚の磁性体層１４-1〜１４-4との間に１枚の第５非磁性体層１３-5を介装したものを例示したが、４枚の磁性体層１２-1〜１２-4と第１引出導体部１５との間に２枚以上の第１非磁性体層１３-1を介装したり、第２引出導体部１８と４枚の磁性体層１４-1〜１４-4との間に２枚以上の第５非磁性体層１３-5を介装したりしても、前記同様の効果を得ることができる。
【００３２】
さらに、前記説明では、第１コイル導体部１６及び第２コイル導体部１７として所定線幅の直線状導体線が略直角の角部を介して渦巻き型となるようにしたものを示したが、所定線幅の直線状導体線が湾曲した角部を介して渦巻き型となるようにしたものや、所定線幅の導体線全てが湾曲していて渦巻き型となるようにしたものであっても、前記同様の効果を得ることができる。
【００３３】
さらに、前記説明では、コモンモードノイズフィルタとして１対のコイル導体部１６及び１７と該１対のコイル導体部１６及び１７に対応する２対の外部端子２１〜２４を有するものを示したが、フィルタ本体を横長に形成して２対のコイル導体を横並びに埋設し、且つ、該２対のコイル導体に対応する４対の外部端子を設けた２連タイプのコモンモードノイズフィルタを構成した場合、また、同様にして３連タイプ以上のコモンモードノイズフィルタを構成した場合でも、前記同様の効果を得ることができる。
【符号の説明】
【００３４】
１１…フィルタ本体、１２…第１磁性体部、１３…非磁性体部、１３ａ…第１磁性体部に向けて隆起した非磁性体部の一部分、１３ｂ…第２磁性体部に向けて隆起した非磁性体部の一部分、１４…第２磁性体部、１５…第１引出導体部、１６…第１コイル導体部、１７…第２コイル導体部、１８…第２引出導体部、１９…第１ビア導体部、２０…第２ビア導体部、２１…第１外部端子、２２…第２外部端子、２３…第３外部端子、２４…第４外部端子。
【図１】
0005542599.tif 000002
【図２】
0005542599.tif 000003
【図３】
0005542599.tif 000004